(57)【特許請求の範囲】
【請求項１】
人の腕の身体機能を向上させるためのトレーニング器具であって、
トレーニング者が把持するための把持体と、
垂直方向に伸縮自在に延びる棒状に形成されて上端部側に前記把持体を支持する起立棒と、
前記起立棒の下端部に設けられて同起立棒を揺動可能に支持するボールジョイントと、
前記起立棒の下端部側で水平方向に延びて形成されて前記起立棒を前記ボールジョイントを介して支持する支持ベース体とを備え、
前記起立棒は、
少なくとも１００ｍｍ以上かつ５００ｍｍ以下の範囲で伸縮可能でかつ前記支持ベース体によってのみ支持されており、
前記トレーニング器具の総重量が人が持ち運びできる重さでかつ前記トレーニング者が持ち上げることができる重さに設定されており、
前記ボールジョイントは、
前記起立棒を揺動させる際の揺動抵抗が調整可能でかつ、任意の傾倒姿勢で傾倒不能な固定状態とすることができるものであり、
前記ボールジョイントにおける前記揺動抵抗を手動操作によって調節するためのハンドル部が前記揺動抵抗を維持した状態で前記ボールジョイントに対して着脱自在に設けられていることを特徴とするトレーニング器具。
【請求項２】
人の腕の身体機能を向上させるためのトレーニング器具であって、
トレーニング者が把持するための把持体と、
垂直方向に伸縮自在に延びる棒状に形成されて上端部側に前記把持体を支持する起立棒と、
前記起立棒の下端部に設けられて同起立棒を揺動可能に支持するボールジョイントと、
前記起立棒の下端部側で水平方向に延びて形成されて前記起立棒を前記ボールジョイントを介して支持する支持ベース体とを備え、
前記起立棒は、
少なくとも１００ｍｍ以上かつ５００ｍｍ以下の範囲で伸縮可能でかつ前記支持ベース体によってのみ支持されており、
前記トレーニング器具の総重量が人が持ち運びできる重さでかつ前記トレーニング者が持ち上げることができる重さに設定されており、
前記把持体は、
人が握ることができる長さで垂直方向に延びる棒体からなる本体部と、
前記本体部の上端部に設けられて人が手の平を置くことができる大きさの板状に形成された先端部把持体と、
前記本体部の下端部に設けられて同本体部からフランジ状に張り出す受け部とを備えることを特徴とするトレーニング器具。
【請求項３】
請求項２に記載したトレーニング器具において、
前記本体部は、
この本体部における一方の端部から他方の端部にかけて凸状に張り出した状態で架設された垂直バンドを有しており、
前記先端部把持体は、
円板状に形成されるとともに凸状に張り出した状態で径方向にかけて架設された水平バンドを有していることを特徴とするトレーニング器具。
【発明の詳細な説明】
【技術分野】
【０００１】
本発明は、人の腕の身体機能を向上させるためのトレーニング器具に関する。
【背景技術】
【０００２】
従来から、腕の身体機能を回復または増強するためのトレーニング装置がある。例えば、下記特許文献１には、モータの駆動力を用いて操作の方向や操作に必要な力を調整することができる操作子を備えたトレーニング機器が開示されている。
【先行技術文献】
【特許文献】
【０００３】
【特許文献１】特開２００７−２４４４３７号公報
【０００４】
しかしながら、上記特許文献１に記載されたトレーニング機器においては、機器構成が複雑かつ大型で重量も重く、リハビリテーション（以下、単に「リハビリ」という）やトレーニングを気軽かつ簡便に行うことができないという問題がある。特に、失われた身体機能を回復するために行なわれるリハビリにおいては、トレーニング者の心理的抵抗が大きく継続的に行なわれ難い傾向があり、気軽かつ簡便に行なえるトレーニング器具が渇望されている。
【発明の概要】
【０００５】
本発明は上記問題に対処するためなされたもので、その目的は、リハビリやトレーニングを気軽にかつ簡便に行うことができるトレーニング器具を提供することにある。
【０００６】
上記目的を達成するため、本発明の特徴は、人の腕の身体機能を向上させるためのトレーニング器具であって、トレーニング者が把持するための把持体と、垂直方向に伸縮自在に延びる棒状に形成されて上端部側に把持体を支持する起立棒と、起立棒の下端部に設けられて同起立棒を揺動可能に支持するボールジョイントと、起立棒の下端部側で水平方向に延びて形成されて起立棒をボールジョイントを介して支持する支持ベース体とを備え、起立棒は、少なくとも１００ｍｍ以上かつ５００ｍｍ以下の範囲で伸縮可能でかつ支持ベース体によってのみ支持されており、トレーニング器具の総重量が人が持ち運びできる重さでかつ前記トレーニング者が持ち上げることができる重さに設定されており、ボールジョイントは、起立棒を揺動させる際の揺動抵抗が調整可能でかつ、任意の傾倒姿勢で傾倒不能な固定状態とすることができるものであり、ボールジョイントにおける揺動抵抗を手動操作によって調節するためのハンドル部が揺動抵抗を維持した状態でボールジョイントに対して着脱自在に設けられていることにある。この場合、トレーニング器具の総重量である人が持ち運びできる重さとは、概ね１０ｋｇ以下であるが、好ましくは１ｋｇ以上かつ５ｋｇ以下、より好ましくは１ｋｇ以上かつ３ｋｇ以下である。
【０００７】
このように構成した本発明の特徴によれば、トレーニング器具は、把持体を揺動可能に支持する起立棒が伸縮自在に構成されるとともにこの起立棒の下端部側に配置された支持ベース体にのみに支持されてかつ器具全体が人が持ち運びできる重量に構成されているため、トレーニングを行いたい場所に手軽に持ち運んで僅かなスペースに配置できかつ起立棒を配置場所やトレーニング内容に応じた長さに調整して使用することができる。これにより、本発明に係るトレーニング器具は、リハビリやトレーニングを気軽にかつ簡便に行うことができる。また、トレーニング器具は、起立棒を短く縮ませることで僅かなスペースでも保管することができるため、トレーニング器具の設置と収納が容易となってリハビリやトレーニングを行う心理的および物理的な敷居を低くして継続的なトレーニングを行うことができる。また、トレーニング器具は、トレーニング器具自体を持ち上げることによるトレーニングを行なわせることもできる。
【０００８】
また、このように構成した本発明の特徴によれば、トレーニング器具は、ボールジョイントが起立棒を揺動させる際の揺動抵抗が調整可能であるため、トレーニング負荷を調整することで身体の状態に応じたトレーニングを行うことができる。
【０００９】
また、このように構成した本発明の特徴によれば、トレーニング器具は、他者によって起立棒の傾倒硬さが勝手に変更されることを防止することができる。
【００１０】
また、上記目的を達成するため、本発明の特徴は、上記目的を達成するため、本発明の特徴は、人の腕の身体機能を向上させるためのトレーニング器具であって、トレーニング者が把持するための把持体と、垂直方向に伸縮自在に延びる棒状に形成されて上端部側に把持体を支持する起立棒と、起立棒の下端部に設けられて同起立棒を揺動可能に支持するボールジョイントと、起立棒の下端部側で水平方向に延びて形成されて起立棒をボールジョイントを介して支持する支持ベース体とを備え、起立棒は、少なくとも１００ｍｍ以上かつ５００ｍｍ以下の範囲で伸縮可能でかつ支持ベース体によってのみ支持されており、トレーニング器具の総重量が人が持ち運びできる重さでかつ前記トレーニング者が持ち上げることができる重さに設定されており、把持体は、人が握ることができる長さで垂直方向に延びる棒体からなる本体部と、本体部の上端部に設けられて人が手の平を置くことができる大きさの板状に形成された先端部把持体と、本体部の下端部に設けられて同本体部からフランジ状に張り出す受け部とを備えることにある。この場合、トレーニング器具の総重量である人が持ち運びできる重さとは、概ね１０ｋｇ以下であるが、好ましくは１ｋｇ以上かつ５ｋｇ以下、より好ましくは１ｋｇ以上かつ３ｋｇ以下である。
【００１１】
このように構成した本発明の特徴によれば、トレーニング器具は、把持体を揺動可能に支持する起立棒が伸縮自在に構成されるとともにこの起立棒の下端部側に配置された支持ベース体にのみに支持されてかつ器具全体が人が持ち運びできる重量に構成されているため、トレーニングを行いたい場所に手軽に持ち運んで僅かなスペースに配置できかつ起立棒を配置場所やトレーニング内容に応じた長さに調整して使用することができる。これにより、本発明に係るトレーニング器具は、リハビリやトレーニングを気軽にかつ簡便に行うことができる。また、トレーニング器具は、起立棒を短く縮ませることで僅かなスペースでも保管することができるため、トレーニング器具の設置と収納が容易となってリハビリやトレーニングを行う心理的および物理的な敷居を低くして継続的なトレーニングを行うことができる。また、トレーニング器具は、トレーニング器具自体を持ち上げることによるトレーニングを行なわせることもできる。
【００１２】
また、このように構成した本発明の特徴によれば、トレーニング器具は、把持体が垂直方向に棒状に延びる本体部の上側端部に人の手の平を置くことができる大きさの板状の先端部把持体を有するとともに、本体部の下端部にフランジ状に張り出す受け部を有するため、使用者は把持体を握ったり、掴んだり、または載せたりして把持体を把持することができるとともに、受け部によって本体部を安定的に把持することができる。
【００１３】
また、本発明の他の特徴は、前記トレーニング器具において、本体部は、この本体部における一方の端部から他方の端部にかけて凸状に張り出した状態で架設された垂直バンドを有しており、先端部把持体は、円板状に形成されるとともに凸状に張り出した状態で径方向にかけて架設された水平バンドを有していることにある。これによれば、トレーニング器具は、垂直バンドおよび水平バンドによってトレーニング者の手が本体部および先端部把持体からそれぞれ外れ難くすることができるとともに本体部および先端把持体の代わりに握ることができる。
【００１４】
また、本発明は、前記トレーニング器具において、支持ベース体は、水平方向に伸縮自在に延びる少なくとも３つの棒状の足体を備えることもできる。これによれば、トレーニング器具は、支持ベース体が水平方向に伸縮自在に延びる少なくとも３つの棒状の足体を備えているため、設置面の状況（例えば、障害物の位置）に合せて足体を伸縮させることにより安定的にトレーニング器具を設置することができる。
【００１５】
また、本発明は、前記トレーニング器具において、支持ベース体は、水平で少なくとも人の足先を載せることができる大きさおよび剛性を有した平面部を有することができる。これによれば、トレーニング器具は、支持ベース体が水平で少なくとも人の足先を載せることができる大きさおよび剛性をそれぞれ有する平面部を有しているため、この平面部に足や物を載せることで起立棒を傾倒させるトレーニング時においてトレーニング器具をより安定させることができる。
【図面の簡単な説明】
【００１６】
【図１】本発明の一実施形態に係るトレーニング器具の全体構成を概略的に示す斜視図である。
【図２】図１に示すトレーニング器具のボールジョイントおよび支持ベース体の各周辺部分の内部構成を概略的に示す拡大断面図である。
【図３】図１に示すトレーニング器具を机上に配置して使用者が使用する状態を側方から見た説明図である。
【図４】図１に示すトレーニング器具をベッド上で上半身を起こした姿勢の使用者が使用する状態を側方から見た説明図である。
【図５】図１に示すトレーニング器具をベッド上で仰臥する姿勢の使用者が使用する状態を側方から見た説明図である。
【図６】本発明の他の変形例に係るトレーニング器具の全体構成を概略的に示す斜視図である。
【発明を実施するための形態】
【００１７】
以下、本発明に係るトレーニング器具の一実施形態について図面を参照しながら説明する。図１は、本発明に係るトレーニング器具１００の外観構成の概略を示す斜視図である。
なお、本明細書において参照する各図は、本発明の理解を容易にするために一部の構成要素を誇張して表わすなど模式的に表している部分がある。このため、各構成要素間の寸法や比率などは異なっていることがある。このトレーニング器具１００は、手や腕を自分の思うように動かすことができない身体に障害がある使用者が把持体１０１を掴んで起立棒１１０を傾倒操作することにより手や腕の機能を回復および向上させるために使用する器具である。
【００１８】
トレーニング器具１００は、把持体１０１を備えている。把持体１０１は、使用者が把持する部分であり、樹脂材を人が握ることができる太さの円柱状に形成して構成されている。より具体的には、把持体１０１は、柱状に形成された本体部１０２の一方（図示上側）の端部に先端把持部１０５が形成されて構成されている。
【００１９】
本体部１０２は、使用者が垂直方向に握るための部分であり、垂直方向に延びる円柱状に形成されている。この本体部１０２には、本体部１０２の一方の端部から他方の端部にかけて凸状に張り出した状態で垂直バンド１０３が架設されている。垂直バンド１０３は、本体部１０２を握る手が本体部１０２から外れ難くするとともに、本体部１０２を握ることが困難な使用者が本体部１０２に代えて握る部分であり、樹脂材（例えば、ナイロンやポリプロピレンなど）を引っ張り強度に優れた幅広の帯状体に形成して構成されている。
【００２０】
また、本体部１０２の下端部には、受け部１０４が形成されている。受け部１０４は、本体部１０２を握る手が下方にずれることを防止するための部分であり、本体部１０２の下端部から径方向外側に向かってフランジ状に張り出して形成されている。
【００２１】
先端把持部１０５は、使用者が手を載せた状態で掴むための部分であり、平面視で手の平を載せることができる程度の大きさ（６ｃｍ〜１２ｃｍ）の水平方向に延びる円板状に形成されている。この先端把持部１０５には、先端把持部１０５の径方向にかけて凸状に張り出した状態で水平バンド１０６が架設されている。なお、先端把持部１０５は、上面が平面形状だけでなく、曲面に形成されていてもよいことは当然である。
【００２２】
水平バンド１０６は、垂直バンド１０３と同様に、先端把持部１０５を握る手が先端把持部１０５から外れ難くするとともに、先端把持部１０５を握ることが困難な使用者が先端把持部１０５に代えて握る部分であり、樹脂材を引っ張り強度に優れた幅広の帯状体に形成して構成されている。
【００２３】
この把持体１０１は、起立棒１１０によって支持されている。起立棒１１０は、把持体１０１を使用者の好みの高さ位置で支持するための棒状の部品であり、伸縮自在な金属製の棒体で構成されている。具体的には、起立棒１１０は、互いに異なる太さの３つの筒状の棒体からなる部分棒体１１１〜１１３が相対的に太さの太い部分棒体１１１，１１２内に太さの細い部分棒体１１２，１１３が出没自在に収納されている。そして、起立棒１１０は、収納された側の部分棒体１１２，１１３と収納する側の部分棒体１１１，１１２とを互いに相対的に軸回りに回転させることで収納された側の部分棒体１１２，１１３が収納する側の部分棒体１１２，１１３に対して出没（すなわち、伸縮）が可能な状態と不能（固定）な状態とが選択的に切り替えられるように構成（つまり、物干し竿と同様の構造）されており、全体として伸び縮みが可能となっている。
【００２４】
この場合、起立棒１１０は、使用者の姿勢（例えば、使用者が起立した状態、椅子やベッドなどに着座した状態、または布団やベッド上に寝た状態）に応じた長さに調整可能な長さに形成される。本実施形態においては、起立棒１１０は、２００ｍｍ〜９００ｍｍの範囲で長さ（高さ）が調整可能に形成されている。この起立棒１１０は、一方（図示上側）の端部を構成する部分棒体１１１が前記把持体１０１を固定的に支持しているとともに、他方（図示下側）の端部を構成する部分棒体１１３がボールジョイント１２０によって支持されている。この場合、起立棒１１０は、外径が最も太い部分棒体１１１が把持体１０１を支持するとともに、外径が最も細い部分棒体１１３がボールジョイント１２０に連結されている。
【００２５】
ボールジョイント１２０は、主として、ボールスタッド１２１、ボールシート１２５、ハウジング１３０、弾性体１３６および押圧体１４０を備えて構成されている。これらのうち、ボールスタッド１２１は、鉄鋼材により構成されており、軸状に形成されたスタッド部１２２の一方（図示下方）の端部側に括れ部１２３を介して略球状に形成されたボール部１２４を備えて構成されている。
【００２６】
スタッド部１２２は、ボールジョイント１２０を前記起立棒１１０の下端部に連結するための部分であり、ボール部１２４とは反対側の端部に形成した図示しないネジ部を介して起立棒１１０に連結されている。一方、ボール部１２４は、ベアリングシートとしてのボールシート１２５内で摺動する部分であり、ボールシート１２５の内周面に対して円滑に摺動するように滑らかな凸状の球面状に形成されている。
【００２７】
ボールシート１２５は、ボールスタッド１２１におけるボール部１２４を摺動自在に保持する部品であり、樹脂材を円筒状に形成して構成されている。この場合、ボールシート１２５は、内周面がボール部１２４に対応する球面が形成されているとともに、外周面が後述する収容部１３２の内周面に嵌合する円周面に形成されている。また、ボールシート１２５を構成する合成樹脂材としては、例えば、ポリエーテルエーテルケトン樹脂（ＰＥＥＫ）、ポリイミド樹脂（ＰＩ）、ポリアセタール樹脂（ＰＯＭ）、ポリ塩化ビニル樹脂（ＰＶＣ）、ポリウレタン樹脂（ＰＵＲ）、ポリカーボネート樹脂（ＰＣ）、ポリスチレン樹脂（ＰＳ）、ナイロン樹脂（ＰＡ−６Ｔ，９Ｔ）またはポリプロピレン（ＰＰ）などがある。
【００２８】
このボールシート１２５は、主として、第１ボールシート１２５ａと第２ボールシート１２５ｂとで構成されている。第１ボールシート１２５ａは、ボール部１２４における上下方向中心部である赤道部１２６付近（本実施形態においては、赤道部１２６よりも若干下方）からスタッド部１２２側の一部を環状に覆うリング状に形成されている。なお、図１においては、赤道部１２６を二点鎖線で示している。
【００２９】
また、第２ボールシート１２５ｂは、ボール部１２４を構成する球体の上下方向中心部である赤道部１２６付近（本実施形態においては、赤道部よりも若干下方）からボール部１２４の先端部側の一部を環状に覆うリング状に形成されている。この第２ボールシート１２５ｂには、下端面の内側部分が下方に向かって突出するストッパ１２７が形成されている。
【００３０】
ストッパ１２７は、後述する押圧体１４０の弾性体１３６側への変位を規制して弾性体１３６を保護するための部分であり、弾性体１３６が圧縮変形して所定の厚さとなったときに収容部１３２の底部１３３に突き当たる張り出し量で形成されている。本実施形態においては、ストッパ１２７は、弾性体１３６の厚さが圧縮を受けていない元の厚さの２／３となったときに収容部１３２の底部１３３に突き当たる張り出し量でリング状に形成されている。
【００３１】
また、ボールシート１２５は、ボール部１２４の外周面上で第１ボールシート１２５ａと第２ボールシート１２５ｂとが互いに接触しない厚さにそれぞれ形成されている。すなわち、ボールシート１２５は、ボール部１２４の外周面上において赤道部１２６付近に第１ボールシート１２５ａと第２ボールシート１２５ｂとの間に隙間が形成されている。
【００３２】
ハウジング１３０は、前記ボールスタッド１２１におけるボール部１２４をボールシート１２５を介して収容し保持するとともに押圧体１４０が取り付けられる部品であり、非鉄金属または鉄鋼材などの金属材料を平面視で円盤状に形成して構成されている。このハウジング１３０は、中央部が上方に向かって突出した突出部１３１が形成されている。突出部１３１は、ボールシート１２５および押圧体１４０をそれぞれ保持する円筒状の部分であり、内側部分に収容部１３２が形成されるとともに外周面にハウジングネジ部１３４が形成されている。
【００３３】
収容部１３２は、前記ボールスタッド１２１におけるボール部１２４をボールシート１２５を介して収容し保持する部分であり、一方（図示上側）の端部が開口するとともに他方（図示下側）の端部側が閉塞された有底円筒状に形成されている。この場合、収容部１３２の底部１３３上には、第２ボールシート１２５ｂの下面との間に弾性体１３６が設けられている。また、収容部１３２は、ボールシート１２５の上端部が突出部１３１の上端部よりも張り出す深さに形成されるとともに、ボールシート１２５が上下方向に摺動可能な内径に形成されている。
【００３４】
ハウジングネジ部１３４は、押圧体１４０における押圧体ネジ部１４１ｂがねじ込まれる部分であり、押圧体ネジ部にネジ嵌合する雄ネジで構成されている。このハウジング１３０は、支持ベース体１５０上にボルト１３５を介して取り付けられている。
【００３５】
弾性体１３６は、押圧体１４０による押圧力の一部を吸収してボールシート１２５に対する押圧力を弱めるための部品であり、ゴム材（本実施形態においては、硬質ゴム）を平板リング状に形成して構成されている。より具体的には、弾性体１３６は、内径が第２ボールシート１２５ｂの外径よりも大きく形成されるとともに、内径が収容部１３２の内径よりも小さく形成されている。なお、弾性体１３６は、押圧体１４０によって生じる押圧力によって弾性変形する材料で構成されていればよいため、ゴム材以外の材料、例えば、ウレタン樹脂などの樹脂材、コイルスプリングおよびスプリングワッシャなどを単体でまたはこれらを組み合わせて構成することができる。
【００３６】
押圧体１４０は、ハウジング１３０内に保持されているボールシート１２５を押圧するためのリング状の部品であり、主として、押圧本体１４１とハンドル部１４３とを備えて構成されている。押圧本体１４１は、ハウジング１３０にネジ嵌合してボールシート１２５を押圧する部品であり、非鉄金属または鉄鋼材などの金属材料を平面視でリング状に形成して構成されている。
【００３７】
この押圧本体１４１は、主として、押圧部１４１ａ、押圧体ネジ部１４１ｂおよびハンドル取付部１４１ｃを備えている。押圧部１４１ａは、第１ボールシート１２５ａを押圧する部分であり、リング状に形成された押圧本体１４１の内周部に隣接する下面によって構成されている。この場合、押圧部１４１ａは、平面視でボール部１２４上に被らない位置で第１ボールシート１２５ａを押圧するように形成されている。また、押圧部１４１ａの反対側の押圧部１４１ａの上面は、内周部側から上方に向かって広がる漏斗状に形成されており、ボールスタッド１２１の傾倒範囲を広く確保している。
【００３８】
押圧体ネジ部１４１ｂは、ハウジング１３０の突出部１３１の外周面に形成されたハウジングネジ部１３４にねじ込まれる部分であり、ハウジングネジ部１３４にネジ嵌合する雌ネジで構成されている。ハンドル取付部１４１ｃは、ハンドル部１４３がボルト１４２によって着脱自在に取り付けられる部分であり、押圧本体１４１の外縁部に平板リング状に形成されている。
【００３９】
ハンドル部１４３は、押圧本体１４１を回転させるために使用者が把持する部分であり、樹脂材を平面視でリング状に形成して構成されている。このハンドル部１４３は、押圧本体１４１の上面にボルト１４２を介して同上面から側面に下垂した状態で着脱自在に取り付けられる。
【００４０】
支持ベース体１５０は、ボールジョイント１２０を固定的に保持する部品であり、非鉄金属または鉄鋼材などの金属材料を平面視で円板状に形成して構成されている。本実施形態においては、支持ベース体１５０は、トレーニング器具１００の安定性をより確保するために鋼板によって構成されている。この支持ベース体１５０は、上面に人の足先を載せることができる大きさの水平な平面部１５１を有しているとともに、下面が足体１５２上に載置されてこの足体１５２によって支持されている。
【００４１】
足体１５２は、支持ベース体１５０を支持する部品であり、金属材料を棒状に形成して構成されている。この足体１５２は、支持ベース体１５０の下面中央部から径方向外側に向かって５つの足体１５２が放射状に設けられている。この場合、各足体１５２は、上面に凹状の案内溝１５３が長手方向に沿って形成されており、この案内溝１５３に支持ベース体１５０を貫通する締付ネジ１５４がそれぞれ２つずつ嵌合している。
【００４２】
これにより、足体１５２は、締付ネジ１５４を弛めることによって支持ベース体１５０の径方向外側または径方向内側にスライド変位させることができる。また、各足体１５２の下面における両端部には、ゴム材を円柱状に形成した底足１５５が設けられている。底足１５５は、各足体１５２に対して下方への突出量が調整可能にネジ嵌合しており、支持ベース体１５０の傾斜状態を調整できるとともに、支持ベース体１５０の設置面に対する滑り止めとして機能する。
【００４３】
そして、このトレーニング器具１００は、全体として人が持ち運びできる重さに形成されている。この場合、トレーニング器具１００の総重量である人が持ち運びできる重さとは、概ね１０ｋｇ以下であるが、好ましくは１ｋｇ以上かつ５ｋｇ以下、より好ましくは１ｋｇ以上かつ３ｋｇ以下である。
【００４４】
（トレーニング器具１００の作動）
次に、上記のように構成したトレーニング器具１００の作動について説明する。トレーニング器具１００を使用する使用者Ｕ（リハビリを行う者またはトレーナ）は、図３〜図５にそれぞれ示すように、トレーニング器具１００を用意してトレーニング器具１００を使用する机上や床面上に配置する。
【００４５】
具体的には、使用者Ｕ（トレーナ）は、締付ネジ１５４を弛めて５つの足体１５２の支持ベース体１５０からの張り出し長さをトレーニング器具１００の設置場所の状況に応じて調整した後、締付ネジ１５４を締め付けて５つの足体１５２の長さを固定する。次いで、使用者Ｕは、底足１５５の突出量を調整することにより支持ベース体１５０の傾きを調整する。この場合、使用者Ｕは、通常は、支持ベース体１５０が水平になるように底足１５５の突出量を調整するが、トレーニング内容によっては支持ベース体１５０を使用者Ｕ（リハビリ者）側、または使用者Ｕ（リハビリ者）側とは反対側に傾斜させて起立棒１１０を傾斜させることもできる。
【００４６】
次に、使用者Ｕ（トレーナ）は、トレーニング器具１００における把持体１０１の高さを調整する。具体的には、使用者Ｕは、起立棒１１０における収納された側の部分棒体１１２，１１３と収納する側の部分棒体１１１，１１２とを互いに相対的に軸回りに回転させること部分棒体１１２，１１３が部分棒体１１２，１１３に対して出没可能な状態にして起立棒１１０の長さを所望する長さに調整する。次いで、使用者Ｕは、部分棒体１１２，１１３と部分棒体１１１，１１２とを互いに相対的に反対方向に回転させることで部分棒体１１２，１１３が部分棒体１１２，１１３に対して出没が不能な状態として調整した長さを固定する。
【００４７】
これにより、使用者Ｕは、図３〜図５に示すように、使用者Ｕ（リハビリ者）の姿勢や状態などの使用状況に適した長さに調整することができる。
【００４８】
例えば、トレーニング器具１００は、図３に示すように、机Ｄの上面に設置して起立または椅子などに着座した状態の使用者（リハビリ者）が使用することができる。また、トレーニング器具１００は、図４に示すように、ベッドＢに隣接する床面Ｇ上に設置してベッドＢ上で上体を起こした使用者Ｕが使用することができる。また、トレーニング器具１００は、図５に示すように、ベッドＢに隣接する床面Ｇ上に設置してベッドＢ上で仰臥した使用者Ｕが使用することができる。なお、図３〜図５においては、トレーニング器具１００における主要部についてのみ符号を付す。
【００４９】
次に、使用者Ｕ（トレーナ）は、トレーニング器具１００における起立棒１１０を傾倒させるために必要な力である傾倒硬さ（傾倒硬さ）を設定する。具体的には、使用者Ｕは、トレーニング器具１００における押圧体１４０のハンドル部１４３を把持して回動操作することによりハウジングネジ部１３４に対する押圧体ネジ部１４１ｂのねじ込み量を加減調整する。例えば、使用者Ｕは、押圧体１４０を回転させてハウジング１３０側にねじ込むことにより起立棒１１０の傾倒硬さを増加させることができる。この場合、第１ボールシート１２５ａに作用する押圧力は、ボール部１２４、第２ボールシート１２５ｂおよび弾性体１３６を介して底部１３３に作用する。
【００５０】
これにより、トレーニング器具１００は、ボールスタッド１２１におけるボール部１２４に対する第１ボールシート１２５ａおよび第２ボールシート１２５ｂによる挟持力（摺動抵抗）が増すため、起立棒１１０の傾倒硬さを増加させることができる。なお、この場合、弾性体１３６に伝達される押圧力の一部が弾性体１３６の圧縮変形に消費されるため、ボール部１２４に対する挟持力が急激に増加することが防止されて、起立棒１１０の傾倒硬さの微妙な調整が行ない易くなる。
【００５１】
また、トレーニング器具１００は、使用者Ｕが押圧体１４０を回転させてハウジング１３０側にねじ込み続けた場合には、第２ボールシート１２５ｂの下面に設けられたストッパ１２７が底部１３３に突き当たる。これにより、トレーニング器具１００は、弾性体１３６の過度な圧縮変形を防止して弾性体１３６の損傷を防止することができる。
【００５２】
一方、使用者Ｕは、押圧体１４０を回転させてハウジング１３０へのねじ込み量を減少させることにより起立棒１１０の傾倒硬さを減少させることができる。この場合、トレーニング器具１００は、ボールスタッド１２１におけるボール部１２４に対する第１ボールシート１２５ａおよび第２ボールシート１２５ｂによる挟持力（摺動抵抗）が減少するため、起立棒１１０の傾倒硬さを減少させることができる。なお、この場合、弾性体１３６に伝達される押圧力の一部が弾性体１３６の圧縮変形の解消に消費されるため、ボール部１２４に対する挟持力が急激に減少することが防止されて、起立棒１１０の傾倒硬さの微妙な調整が行ない易くなる。したがって、使用者Ｕは、押圧体１４０の回動操作によって起立棒１１０の傾倒硬さを好みの硬さに調整することができる。
【００５３】
次に、使用者Ｕ（リハビリ者）は、トレーニング器具１００を用いてリハビリを行う。具体的には、使用者Ｕは、起立棒１１０における把持体１０１を握って腕を動かすことにより起立棒１１０をボール部１２４を中心として前後左右方向に自由に傾倒させる。この場合、使用者Ｕは、把持体１０１における本体部１０２、垂直バンド１０３、先端把持部１０５および水平バンド１０６を把持することができる。また、使用者Ｕは、起立棒１１０をボールスタッド１２１の中心軸を中心として軸線周りに回転摺動させることもできる。これにより、トレーニング器具１００は、起立棒１１０に対して設定した傾倒硬さに応じた操作負荷をユーザに与えることができる。また、使用者Ｕ（リハビリ者）は、起立棒１１０における把持体１０１を握ってトレーニング器具１００自体を持ち上げることによって垂直方向への持ち上げによるトレーニングを行うこともできる。
【００５４】
また、使用者Ｕ（トレーナまたはリハビリ者）は、起立棒１１０の傾倒操作の過程において、支持ベース体１５０における平面部１５１に自身の足や物を載せることでトレーニング器具１００をより安定させることができる。また、使用者Ｕ（トレーナ）は、起立棒１１０の傾倒硬さに過不足がある場合には、前記と同様にして押圧体１４０を回動操作することによって起立棒１１０の傾倒硬さを好みの硬さに適宜変更することができる。この場合においても、使用者Ｕは、押圧体１４０がハウジング１３０の外側に回動操作可能に露出して設けられているため、起立棒１１０の傾倒硬さを容易に変更することができる。
【００５５】
また、使用者Ｕ（トレーナ）は、起立棒１１０の長さに過不足が有る場合には、前記と同様にして部分棒体１１１〜１１３をそれぞれ相対回転させることで起立棒１１０の全体の長さを適宜変更することができる。また、使用者Ｕ（トレーナ）は、トレーニング器具１００の位置が不適切な場合や変更したい場合には、トレーニング器具１００を持ち上げて位置を変更することができるとともに、新たな設置場所に応じて足体１５２および底足１５５の長さおよび突出量をそれぞれ調整することができる。すなわち、使用者Ｕは、リハビリ者のレベルやリハビリの種類に応じて起立棒１１０の傾倒硬さおよび把持体１０１の位置を適宜設定することができる。
【００５６】
そして、使用者Ｕ（トレーナ）は、トレーニング器具１００の使用を終了する際や起立棒１１０の傾倒姿勢を固定したい場合には、押圧体１４０をハウジング１３０により強くねじ込むように回動操作することによってボール部１２４をボールシート１２５でより強く挟持させて回転不能な状態、すなわち、起立棒１１０が傾倒操作不能な状態とすることができる。また、使用者Ｕは、他者によって起立棒１１０の傾倒硬さが勝手に変更されることを防止したい場合には、押圧体１４０の押圧本体１４１からハンドル部１４３を取り外しておくこともできる。
【００５７】
上記作動方法の説明からも理解できるように、上記実施形態によれば、トレーニング器具１００は、把持体１０１を揺動可能に支持する起立棒１１０が伸縮自在に構成されるとともにこの起立棒１１０の下端部側に配置された支持ベース体１５０にのみに支持されてかつ器具全体が人が持ち運びできる重量に構成されているため、トレーニングを行いたい場所に手軽に持ち運んで僅かなスペースに配置できかつ起立棒１１０を配置場所やトレーニング内容に応じた長さに調整して使用することができる。これにより、本発明に係るトレーニング器具１００は、リハビリやトレーニングを気軽にかつ簡便に行うことができる。また、トレーニング器具１００は、起立棒１１０を短く縮ませることで僅かなスペースでも保管することができるため、トレーニング器具１００の設置と収納が容易となってリハビリやトレーニングを行う心理的および物理的な敷居を低くして継続的なトレーニングを行うことができる。
【００５８】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００５９】
例えば、上記実施形態においては、起立棒１１０は、２００ｍｍ〜９００ｍｍの範囲で長さが調整可能に形成されている。しかし、起立棒１１０は、使用者Ｕ（リハビリ者やトレーニング者）が、椅子や床に座った姿勢、起立した姿勢およびベッド上に寝た姿勢や座った姿勢で操作可能な長さ、具体的には、少なくとも１００ｍｍ以上かつ５００ｍｍ以下の範囲で長さ調整可能に形成されていればよい。したがって、起立棒１１０は、１００ｍｍ以下の長さ（例えば、５０ｍｍ）に縮むように形成されていてもよいし、５００ｍｍ以上の長さ（例えば、１００００ｍｍ）に伸びるように形成されていてもよい。
【００６０】
また、上記実施形態においては、起立棒１１０は、部分棒体１１１，１１２内に部分棒体１１２，１１３を出し入れ自在に収納することができる所謂振出竿式に構成した。しかし、起立棒１１０は、長さ調整可能に形成されていればよい。したがって、起立棒１１０は、部分棒体１１１〜１１３を連結および分離できる所謂並継式に構成することもできる。これによれば、起立棒１１０の長さをより広範囲に調整することができるとともに、起立棒１１０の太さも一定にすることもできる。
【００６１】
また、上記実施形態においては、起立棒１１０は、３つの部分棒体１１１〜１１３で構成した。しかし、起立棒１１０は、長さ調整可能に形成されていればよい。したがって、起立棒１１０は、２つ以下または４つ以上の部分棒体で構成することができる。
【００６２】
また、上記実施形態においては、起立棒１１０は、外径が最も太い部分棒体１１１が把持体１０１を支持するとともに、外径が最も細い部分棒体１１３がボールジョイント１２０に連結されている。これにより、トレーニング器具１００は、起立棒１１０を傾斜させた際に起立棒１１０の下端部がボールジョイント１２０の一部（例えば、ハンドル部１４３）に接触することが防止されるため、起立棒１１０の傾斜角を大きく（換言すれば、傾斜可能な角度範囲を広く）することができる。
【００６３】
しかし、起立棒１１０は、外径が最も細い部分棒体１１３が把持体１０１を支持するとともに、外径が最も太い部分棒体１１１がボールジョイント１２０に連結されていてもよい。これによれば、トレーニング器具１００は、起立棒１１０の重心位置を下げることができるため、起立棒１１０の傾倒時における安定性を向上させることができる。
【００６４】
また、上記実施形態においては、把持体１０１は、本体部１０２、垂直バンド１０３、受け部１０４、先端把持部１０５および水平バンド１０６で構成した。しかし、把持体１０１は、少なくとも本体部１０２、垂直バンド１０３、先端把持部１０５および水平バンド１０６のうちのいずれか１つで構成することができる。
【００６５】
また、上記実施形態においては、支持ベース体１５０は、水平で少なくとも人の足先を乗せることができる平面部１５１を有して構成した。しかし、支持ベース体１５０は、水平方向に沿って延びて形成されていればよい。したがって、支持ベース体１５０は、平面部１５１を省略した形状、例えば、傾斜面や曲面に形成することができる。また、支持ベース体１５０は、板状のほか、棒状に形成することもできる。
【００６６】
また、上記実施形態においては、支持ベース体１５０は、足体１５２および底足１５５を備えて構成した。しかし、支持ベース体１５０は、例えば、図６に示すように、足体１５２および底足１５５を省略して構成することができる。また、支持ベース体１５０は、底面に足体１５２または底足１５５を備えて構成することもできる。また、足体１５２は、少なくとも３以上の棒体で構成されていればよい。
【００６７】
また、上記実施形態においては、ボールジョイント１２０は、ハンドル部１４３を回動操作することにより起立棒１１０の傾倒硬さ（摺動抵抗）を好みの硬さに調整できるように構成した。しかし、ボールジョイント１２０は、起立棒１１０の傾倒硬さ（摺動抵抗）が一定の硬さに固定された構成、例えば、ハンドル部１４３を省略して構成することもできる。
【符号の説明】
【００６８】
Ｕ…使用者、Ｇ…床面、Ｂ…ベッド、Ｄ…机、
１００…トレーニング器具、１０１…把持体、１０２…本体部、１０３…垂直バンド、１０４…受け部、１０５…先端把持部、１０６…水平バンド、
１１０…起立棒、１１１〜１１３…部分棒体、
１２０…ボールジョイント、１２１…ボールスタッド、１２２…スタッド部、１２３…括れ部、１２４…ボール部、１２５…ボールシート、１２５ａ…第１ボールシート、１２５ｂ…第２ボールシート、１２６…赤道部、１２７…ストッパ、
１３０…ハウジング、１３１…突出部、１３２…収容部、１３３…底部、１３４…ハウジングネジ部、１３５…ボルト、１３６…弾性体、
１４０…押圧体、１４１…押圧本体、１４１ａ…押圧部、１４１ｂ…押圧体ネジ部、１４１ｃ…ハンドル取付部、１４２…ボルト、１４３…ハンドル部、
１５０…支持ベース体、１５１…平面部、１５２…足体、１５３…案内溝、１５４…締付ネジ、１５５…底足。
【図１】
0006265510.tif 000002
【図２】
0006265510.tif 000003
【図３】
0006265510.tif 000004
【図４】
0006265510.tif 000005
【図５】
0006265510.tif 000006
【図６】
0006265510.tif 000007